(57)【特許請求の範囲】
【請求項１】
建物の換気口に、当該建物の外側から装着する換気口装着物であって、
前記建物の外側から前記換気口に流れる外気が通りぬける通気部と、
前記通気部の上側の位置から前側に向かって張り出す雨避け板と、
前記通気部の下側の位置から前側に向かって張り出す基台と、を有し、
前記基台は、前方に向かって下向きに傾斜する１面の傾斜面と、この傾斜面を左右対称に二分する中央線側から、側方に向かって下向きに傾斜する２面の傾斜面と、を有し、
前記基台の前方に向かって下向きに傾斜する前記傾斜面の両側に、前記基台の側方に向かって下向きに傾斜する前記傾斜面がそれぞれ位置しており、
前記基台と前記雨避け板との間には、外気を前記通気部へ案内する案内面を有する複数枚の案内板が立っており、
それぞれの前記案内板は、鉛直方向を向く軸又は地面に対して傾斜する軸によって回動可能に軸止された可動板を有し、当該可動板の両面に、前記案内板が有する前記案内面の全部または少なくとも一部が形成されていることを特徴とする換気口装着物。
【請求項２】
３枚の前記案内板を有し、これらのうちの１枚の前記案内板が有する前記可動板を回動可能に軸止する前記軸が、前記中央線の前端部分の上に、立っており、残りの２枚の前記案内板が有する前記可動板を回動可能に軸止する前記軸が、前記基台の前方に向かって下向きに傾斜する前記傾斜面と、前記基台の側方に向かって下向きに傾斜する前記傾斜面と、の間の陵線の前端部分の上に、それぞれ立っており、
前記換気口に流れる外気がない状態において、前記中央線の前端部分の上に立つ前記軸によって軸止された前記回動板が、前記中央線の上に位置し、前記陵線の前端部分の上に立つ前記軸によって軸止された前記回動板が、その軸が立っている前記陵線の上に位置していることを特徴とする請求項１に記載の換気口装着物。
【請求項３】
前記可動板の回動を妨げる抵抗力を発生する可動板回動抑止手段を有し、当該可動板回動抑止手段により発生する当該抵抗力が、前記基台側と前記可動板側との間に設けられた弾性体の弾性力であることを特徴とする請求項１又は請求項２に記載の換気口装着物。
【請求項４】
回動した前記可動板を回動前の位置に回帰させる力を発生する可動板回帰手段を有し、当該可動板回帰手段により発生する当該力が、前記基台側と前記可動板側との間に設けられた弾性体の弾性力であることを特徴とする請求項１から請求項３のうちのいずれかの請求項に記載の換気口装着物。
【請求項５】
前記可動板の回動を妨げる抵抗力を発生する可動板回動抑止手段を有し、当該可動板回動抑止手段により発生する当該抵抗力が、前記基台側と前記可動板側との間に設けられた弾性体の弾性力であり、
回動した前記可動板を回動前の位置に回帰させる力を発生する可動板回帰手段を有し、当該可動板回帰手段により発生する当該力が、前記基台側と前記可動板側との間に設けられた弾性体の弾性力であり、
前記可動板回動抑止手段による前記抵抗力を発生させる前記弾性体と、前記可動板回帰手段による前記力を発生させる前記弾性体と、が、同一の弾性体であることを特徴とする請求項１又は請求項２に記載の換気口装着物。
【請求項６】
前記通気部には、複数本の水平方向の軸が設置されており、これらの軸によって前記通気部を開閉する扉板がそれぞれ回動可能に軸止されていることを特徴とする請求項１から請求項５のうちのいずれかの請求項に記載の換気口装着物。
【請求項７】
前記扉板の回動を妨げる抵抗力を発生する扉板回動抑止手段を有し、当該扉板回動抑止手段により発生する当該抵抗力が、前記通気部の周囲を取り囲む枠部材側と前記扉側との間に設けられた弾性体の弾性力であることを特徴とする請求項６に記載の換気口装着物。
【請求項８】
回動した前記扉板を回動前の位置に回帰させる力を発生する扉板回帰手段を有し、当該扉板回帰手段により発生する当該力が、前記通気部の周囲を取り囲む前記枠部材側と前記扉側との間に設けられた弾性体の弾性力であることを特徴とする請求項６または請求項７に記載の換気口装着物。
【請求項９】
前記扉板の回動を妨げる抵抗力を発生する扉板回動抑止手段を有し、当該扉板回動抑止手段により発生する当該抵抗力が、前記通気部の周囲を取り囲む枠部材側と前記扉側との間に設けられた弾性体の弾性力であり、
回動した前記扉板を回動前の位置に回帰させる力を発生する扉板回帰手段を有し、当該扉板回帰手段により発生する当該力が、前記通気部の周囲を取り囲む前記枠部材側と前記扉側との間に設けられた弾性体の弾性力であり、
前記扉板回動抑止手段による前記抵抗力を発生させる前記弾性体と、前記扉板回帰手段による前記力を発生させる前記弾性体と、が、同一の弾性体であることを特徴とする請求項６に記載の換気口装着物。
【発明の詳細な説明】
【技術分野】
【０００１】
本発明は、建物の外側から換気口に装着する換気口装着物に関する。
【背景技術】
【０００２】
建物を維持管理していく上で、建物内の換気を充分に行うことが非常に重要である。なお、以下の説明において、「建物内の換気」という場合、建物内のあらゆる空間の換気を含むものとする。「建物内の換気」には、例えば、床下、屋根裏、部屋の換気が含まれる。
建物内の換気が不充分であると、建物内の湿度が高くなり、様々な不具合が生じる。例えば、床下の換気が充分になされず、床下の湿度が高くなると、床下に配置されている木材が害虫の被害を受けやすくなり、建物の劣化が早まり、建物の寿命が短くなる一因となる。また、建物内の湿度が高ければ、その建物に居住する人間の健康が損なわれる遠因にもなり得る。
【０００３】
そこで、建物内の換気を行うために、建物の外壁に換気口が形成されている。外気が換気口から建物内に流れ込み、建物内の換気が行われる。
しかし、換気口を建物の外壁に形成するだけであれば、外気が換気口から建物内に自然に流れ込むだけであり、建物内の換気を充分に行えない場合がある。例えば、外気の流れを妨げる障害物が換気口の近傍にあれば、換気口から建物内に流れ込む外気の量が少なくなる。外気の流れを妨げる障害物として、換気口の近傍にある構造物や樹木等を挙げることができる。
【０００４】
そこで、充分な量の外気を換気口から建物内に取り込むことを目的として、換気口に設置した換気扇により、強制的に建物内の換気を行う技術が提唱されている（特許文献１参照）。
【特許文献１】特許３８０３５６６号公報
【発明の開示】
【発明が解決しようとする課題】
【０００５】
しかし、換気口に設置される換気扇は、駆動源としてモータを必要とする。換気扇による建物内の換気を常に滞りなく行うためには、モータを含めて換気扇のメンテナンスを定期的に行わなければならない。建物が有する換気口の数は多く、これらの換気口に設置した換気扇を定期的にメンテナンスすることは煩雑な作業である。また、換気口がアクセス容易な場所にあるとは限らない。このため、換気口に設置した換気扇のメンテナンスを行う際、様々な事前準備作業が必要になり、メンテナンスの煩雑さがいっそう大きくなる。特に一般家庭等においては、換気口に設置した換気扇のメンテナンスが大きな負担になりやすい。
【０００６】
また、換気を行う空間が大きければ、それだけ多くの換気口が必要となり、設置する換気扇の数も多くなってしまう。このため、換気扇の初期設置費用がかさみ、換気扇のメンテナンスの負担も大きくなってしまう。
本発明は、上記問題を解決するものであり、その目的とするところは、様々な方向に流れる外気の流れを積極的に換気口へ導き、換気口からの換気を効率よく行うことができ、安価に製造可能であり、換気口に容易に装着可能であり、メンテナンスに要する手間が小さくてすむ換気口装着物を提供することである。
【課題を解決するための手段】
【０００７】
本発明は、その課題を解決するために以下のような構成をとる。請求項１の発明に係る換気口装着物は、建物の換気口に、当該建物の外側から装着する換気口装着物であって、前記建物の外側から前記換気口に流れる外気が通りぬける通気部と、前記通気部の上側の位置から前側に向かって張り出す雨避け板と、前記通気部の下側の位置から前側に向かって張り出す基台と、を有し、前記基台は、前方に向かって下向きに傾斜する１面の傾斜面と、この傾斜面を左右対称に二分する中央線側から、側方に向かって下向きに傾斜する２面の傾斜面と、を有し、前記基台の前方に向かって下向きに傾斜する前記傾斜面の両側に、前記基台の側方に向かって下向きに傾斜する前記傾斜面がそれぞれ位置しており、前記基台と前記雨避け板との間には、外気を前記通気部へ案内する案内面を有する複数枚の案内板が立っており、それぞれの前記案内板は、鉛直方向を向く軸又は地面に対して傾斜する軸によって回動可能に軸止された可動板を有し、当該可動板の両面に、前記案内板が有する前記案内面の全部または少なくとも一部が形成されている。
建物の周囲における外気の流れの向きは様々である。しかし、どのような方向へ流れる外気の流れであっても、外気の流れが案内面に当たりさえすれば、案内面に当たった外気の流れは通気部へ案内され、通気部を通り抜けて換気口に流れる。従って、外気の流れが直接換気口の方向を向いていない場合であっても、外気が換気口に流れて、建物内の換気が行われる。
【０００８】
案内面は、例えば、平坦な面であっても良いし、湾曲した凹面であっても良い。案内面を湾曲した凹面により形成すれば、案内面に外気の流れから働く力を分散させることができ、案内面が案内する外気の流れの乱れを小さく抑制できる。また、案内面は、例えば、水平面であっても良いし、地面に垂直な面であっても良いし、傾斜面であっても良いし、これらのうちの２種類以上の面の組み合わせであっても良い。
【０００９】
雨避け板が通気部の上側に張り出しているので、この雨避け板が通気部や換気口に雨水がかかることを防止し、換気口から建物内に雨水が入ることをも防止する。例えば、雨避け板は平坦な板状部材であっても良いし、湾曲した板状部材であっても良い。雨避け板が張り出す通気部の上側の位置は、通気部に隣接する直上の位置であっても良いし、通気部から距離をおいた上方の位置であっても良い。また、換気口装着物を正面から見たときに、通気部の一部または全部が雨避け板の下に覆い隠されていても良い。
換気口装着物の一部または全部を換気口に嵌合させることにより、換気口装着物を換気口に装着できる。また、ボルトやナット等の締結具や接着剤等を用いて換気口装着物を換気口周辺の建物に装着することもできる。
【００１０】
案内板を雨避け板の下に立設すれば、案内面に雨水がかかることを防止でき、換気口に雨水が入ることも防止しつつ、案内板により外気の流れを通気部へ案内できる。
また、案内板を通気部の周辺に立設すれば、通気部へ直接吹き付けられる外気の流れが、そのまま通気部へ流れるのみならず、通気部の周辺部分に吹き付けられる外気の流れが、案内板により通気部へ案内される。従って、通気部へ流れる外気の量が多くなる。
【００１１】
案内面が形成されている案内板の数を増やすことにより、案内面の総面積を広げることができる。案内面の総面積が広がれば、案内面に当たって通気部へ案内される外気の量が多くなる。
【００１２】
換気口装着物が装着されている箇所の近辺における外気の流れの方向に応じて、案内板の可動板を回動させて、案内面の向きを調整することができる。案内面の向きを調整することにより、通気部へ案内される外気の量を加減することができ、また、外気の流れから可動板に働く力の大きさを調整できる。
可動板を軸止する軸の軸方向は、例えば、水平であっても良いし、地面に垂直であっても良いし、地面に対して傾斜していても良い。
なお、案内板の全体がそのまま可動板をなしていても良いし、案内板の一部分が可動板をなしていても良い。
請求項２の発明に係る換気口装着物は、請求項１に記載の換気口装着物であって、３枚の前記案内板を有し、これらのうちの１枚の前記案内板が有する前記可動板を回動可能に軸止する前記軸が、前記中央線の前端部分の上に、立っており、残りの２枚の前記案内板が有する前記可動板を回動可能に軸止する前記軸が、前記基台の前方に向かって下向きに傾斜する前記傾斜面と、前記基台の側方に向かって下向きに傾斜する前記傾斜面と、の間の陵線の前端部分の上に、それぞれ立っており、前記換気口に流れる外気がない状態において、前記中央線の前端部分の上に立つ前記軸によって軸止された前記回動板が、前記中央線の上に位置し、前記陵線の前端部分の上に立つ前記軸によって軸止された前記回動板が、その軸が立っている前記陵線の上に位置している。
【００１３】
請求項３の発明に係る換気口装着物は、請求項１又は請求項２に記載の換気口装着物であって、前記可動板の回動を妨げる抵抗力を発生する可動板回動抑止手段を有し、当該可動板回動抑止手段により発生する当該抵抗力が、前記基台側と前記可動板側との間に設けられた弾性体の弾性力である。
可動板の案内面に外気の流れが当たると、可動板は外気の流れから力を受けて軸周りを回動しようとする。しかし、回動しようとする可動板には、可動板回動抑止手段から回動を妨げる抵抗力が働く。外気の流れから可動板に働く力が、可動板回動抑止手段から可動板に働く抵抗力を上回らなければ、可動板は回動せずに停止したままである。そして、可動板の案内面に当たった外気の流れはそのまま通気部へ案内される。
【００１４】
外気の流れから可動板に働く力が、可動板回動抑止手段から可動板に働く抵抗力を上回ると、可動板が回動する。可動板は、外気の流れから可動板に働く力が小さくなる方向に回動する。外気の流れから可動板に働く力が、可動板回動抑止手段から可動板に働く抵抗力と釣り合うと、可動板の回動が停止する。
なお、可動板を軸止する軸を支承する部分（例えば、軸受け等）が、可動板の回動を妨げる抵抗力を発生させる場合、この軸を支承する部分は、可動板回動抑止手段の少なくとも一部を形成する。
【００１５】
強風が吹き荒れるような場合、可動板が回動し、強風から可動板に働く力が逃され、可動板に過大な力が働くことが防止され、可動板を含めて案内板が損傷することが防止される。また、可動板の回動により、換気口に案内される外気の量が制御される。例えば、強風が吹き荒れる場合、可動板が回動し、建物内へ流れ込む外気の量が抑制される。降雨を伴う強風時には、外気とともに建物内へ入ってしまう雨水の量も抑制される。
【００１６】
なお、可動板回動抑止手段における抵抗力の発生源は特に限定されない。バネやゴム等の弾性体の弾性力を抵抗力とすることができる。また、部材間に働く摩擦力を抵抗力とすることができるし、磁石の磁力を抵抗力とすることもできる。さらに、複数の抵抗力の発生源を組み合わせて使用することもできる。
可動板回動抑止手段から発生する抵抗力の大きさは、常に一定の大きさであっても良いし、可動板の回動量あるいは可動板の位置に応じて抵抗力の大きさが変化しても良い。
【００１７】
請求項４の発明に係る換気口装着物は、請求項１から請求項３のうちのいずれかの請求項に記載の換気口装着物であって、
回動した前記可動板を回動前の位置に回帰させる力を発生する可動板回帰手段を有し、当該可動板回帰手段により発生する当該力が、前記基台側と前記可動板側との間に設けられた弾性体の弾性力である。
外気の流れから可動板に働く力により、可動板が回動すると、回動前の位置に可動板を回帰させようとする力が、回動した可動板に可動板回帰手段から働く。そして、回動した可動板は、可動板回帰手段からの力により回動前の位置に回帰する。
可動板回帰手段が可動板を回動前の位置に回帰させる力の発生源は特に限定されない。バネやゴム等の弾性体の弾性力を、この回帰させる力とすることができる。また、磁石の磁力を、この回帰させる力とすることもできる。さらに、複数の力の発生源を組み合わせて使用することもできる。
【００１８】
可動板回帰手段が、同時に、可動板回動抑止手段をなしていても良い。この場合、可動板が回動しようとするときは、可動板回帰手段（即ち、可動板回動抑止手段）から可動板に働く力が、可動板の回動を妨げる抵抗力となる。そして、可動板が回動した後、外気の流れから可動板に働く力が、可動板回帰手段から可動板に働く力よりも弱くなると、可動板回帰手段から可動板に働く力が、可動板を回動前の位置に回帰させる力となる。例えば、可動板回動抑止手段の抵抗力が弾性体の弾性力である場合、可動板の回動前の状態に戻ろうとする弾性体の力を、可動板を回動前の位置に回帰させる力とすることができる。
請求項５の発明に係る換気口装着物は、請求項１又は請求項２に記載の換気口装着物であって、前記可動板の回動を妨げる抵抗力を発生する可動板回動抑止手段を有し、当該可動板回動抑止手段により発生する当該抵抗力が、前記基台側と前記可動板側との間に設けられた弾性体の弾性力であり、回動した前記可動板を回動前の位置に回帰させる力を発生する可動板回帰手段を有し、当該可動板回帰手段により発生する当該力が、前記基台側と前記可動板側との間に設けられた弾性体の弾性力であり、前記可動板回動抑止手段による前記抵抗力を発生させる前記弾性体と、前記可動板回帰手段による前記力を発生させる前記弾性体と、が、同一の弾性体である。
【００１９】
請求項６の発明に係る換気口装着物は、請求項１から請求項５のうちのいずれかの請求項に記載の換気口装着物であって、前記通気部には、複数本の水平方向の軸が設置されており、これらの軸によって前記通気部を開閉する扉板がそれぞれ回動可能に軸止されている。
扉板により通気部が開閉し、通気部を通り抜けて換気口に流れる外気の量が調節される。例えば、強風が吹き荒れる場合、回動した扉板が通気部を閉じれば、建物内へ多量の外気が流れ込むことが防止される。また、降雨を伴う強風時には、外気とともに雨水が建物内へ入ってしまうことも防止される。
【００２０】
請求項７の発明に係る換気口装着物は、請求項６に記載の換気口装着物であって、前記扉板の回動を妨げる抵抗力を発生する扉板回動抑止手段を有し、当該扉板回動抑止手段により発生する当該抵抗力が、前記通気部の周囲を取り囲む枠部材側と前記扉側との間に設けられた弾性体の弾性力である。
扉板に外気の流れが当たると、扉板は外気の流れから力を受けて軸周りを回動しようとする。しかし、回動しようとする扉板には、扉板回動抑止手段から回動を妨げる抵抗力が働く。外気の流れから扉板に働く力が、扉板回動抑止手段から扉板に働く抵抗力を上回らなければ、扉板は回動せずに停止したままであり、通気部を開けておくことができ、通気部から換気口に外気を流すことができる。
【００２１】
外気の流れから扉板に働く力が、扉板回動抑止手段から扉板に働く抵抗力を上回ると、扉板が回動する。回動した扉板により通気部を閉じることができる。
なお、扉板を軸止する軸を支承する部分（例えば、軸受け等）が、扉板の回動を妨げる抵抗力を発生させる場合、この軸を支承する部分は、扉板回動抑止手段の少なくとも一部を形成する。
扉板回動抑止手段における抵抗力の発生源が特に限定されないのは、可動板回動抑止手段と同様であり、可動板回動抑止手段と同様の力を抵抗力とすることができる。
【００２２】
請求項８の発明に係る換気口装着物は、請求項６または請求項７に記載の換気口装着物であって、回動した前記扉板を回動前の位置に回帰させる力を発生する扉板回帰手段を有し、当該扉板回帰手段により発生する当該力が、前記通気部の周囲を取り囲む前記枠部材側と前記扉側との間に設けられた弾性体の弾性力である。
外気の流れから扉板に働く力により、扉板が回動すると、回動前の位置に扉板を回帰させようとする力が、回動した扉板に扉板回帰手段から働く。そして、回動した扉板は、扉板回帰手段からの力を受けて回動前の位置に回帰する。
可動板回帰手段と同様に、扉板回動抑止手段が扉板回帰手段をなしていても良い。
扉板回帰手段が扉板を回動前の位置に回帰させる力の発生源が、特に限定されないのは、可動板回帰手段と同様であり、可動板回帰手段と同様の力により、扉板を回動前の位置に回帰させることができる。
請求項９の発明に係る換気口装着物は、請求項６に記載の換気口装着物であって、前記扉板の回動を妨げる抵抗力を発生する扉板回動抑止手段を有し、当該扉板回動抑止手段により発生する当該抵抗力が、前記通気部の周囲を取り囲む枠部材側と前記扉側との間に設けられた弾性体の弾性力であり、回動した前記扉板を回動前の位置に回帰させる力を発生する扉板回帰手段を有し、当該扉板回帰手段により発生する当該力が、前記通気部の周囲を取り囲む前記枠部材側と前記扉側との間に設けられた弾性体の弾性力であり、前記扉板回動抑止手段による前記抵抗力を発生させる前記弾性体と、前記扉板回帰手段による前記力を発生させる前記弾性体と、が、同一の弾性体である。
【発明の効果】
【００２３】
上記のような換気口装着物であるので、換気口からの換気を効率よく行うことができ、安価に製造可能であり、換気口に容易に装着可能であり、管理・維持に要する手間が小さくてすむ。
【発明を実施するための最良の形態】
【００２４】
本発明を実施するために最良の第１の実施の形態を図１から図１３を参照しつつ説明する。
図１から図６に示すように、換気口装着物１は、枠１０、基台１７、雨避け板３３、案内板３５、３６を有する。
図４に示すように、枠１０は横長の長方形の板状部材である。枠１０の中央に、横長の長方形の通気口１５が通気部として開口している。通気口１５の形状は後述する換気口７４の開口部分の形状に対応している。枠１０は、１本の横長の長方形の枠部材１１、１本の横長の長方形の枠部材１２、２本の縦長の長方形の枠部材１３を有する。枠部材１１が通気口１５の下側に位置し、枠部材１２が通気口１５の上側に位置し、枠部材１３が通気口１５の両側に位置し、これらの枠部材１１、１２、１３が通気口１５の周囲を取り囲んでいる。
【００２５】
図１、図２、図５から図７に示すように、板状部材からなる基台１７が枠部材１１から前側に向かって張り出している。基台１７の横幅は枠１０の横幅と同じである。基台１７は平坦な１面の傾斜面１９と平坦な２面の傾斜面２７を有し、これらの傾斜面１９、２７がそれぞれ案内面をなしている。傾斜面１９の形状は等脚台形であり、傾斜面１９の両側には稜線３１を間に挟んで三角形の傾斜面２７がそれぞれあり、基台１７は左右対称の形状を有する。なお、稜線３１は、傾斜面１９をなす等脚台形の斜辺となっている。
【００２６】
傾斜面１９は、奥側（即ち、枠１０側）から前端側に向かって下向きに傾斜する面であり、傾斜面１９の幅は奥側から前端側に向かって徐々に広がっている。傾斜面１９の奥側の縁２３は、通気口１５の下側の縁１６と平行であり、縁２３は縁１６よりもやや下側に位置する。縁２３の長さは、縁１６の長さよりも短い。傾斜面１９の中央に一本の中央線２５が仮想線として引かれている。中央線２５は、縁２３に直交し、傾斜面１９を傾斜面２０と傾斜面２１とに二分している。傾斜面２０と傾斜面２１とは中央線２５を対称軸として互いに左右対称の形状をなしている。
【００２７】
傾斜面２７は枠１０に対して垂直な面である。傾斜面２７は、中央線２５側から基台１７の側方に向かって下向きに傾斜している。傾斜面２７の奥側（即ち、枠１０側）の縁２９は、枠１０上にあり、縁２９の一端は、縁２３の一端に一致し、縁２９の他端は、枠１０の外周の縁の上に位置している。傾斜面２７の幅は、中央線２５側から基台１７の側方に向かって徐々に広がっている。
【００２８】
枠部材１１の下端部分は、基台１７よりも下側に張り出しており、この下側に張り出した部分に複数のボルト穴６０が形成されている。
図１から図３、図５及び図６に示すように、平坦な板状部材からなる雨避け板３３が枠部材１２から前側に向かって張り出している。雨避け板３３の横幅は枠１０の横幅と同じである。雨避け板３３は奥側（即ち、枠１０側）から前端側に向かって下向きに傾斜している。
【００２９】
換気口装着物１を上方から見おろすと、雨避け板３３の前端は基台１７の前端よりも前方に張り出しており、基台１７は雨避け板３３の下に隠れて見えない。また、換気口装着物１を正面から見ると、通気口１５のうちの上側の開口部分は、雨避け板３３の背後に隠れて見えず、通気口１５のうちの下側の開口部分が見えている。
枠部材１２の上端部分は、雨避け板３３よりも上側に張り出しており、この上側に張り出した部分に複数のボルト穴６０が形成されている。
【００３０】
図１、図３及び図５に示すように、軸４３が中央線２５の前端部分（即ち、枠１０と反対側の端部分）の上に立っている。軸４３の軸方向は、枠部材１３の長手方向と平行であり、鉛直方向を向いている。軸４３の上端は、雨避け板３３の裏側に達している。軸４３の上下両端は軸受け（図示せず）により支承されており、これらの軸受けが軸４３の回転に及ぼす力はほとんどゼロであり、無視し得る大きさである。
【００３１】
案内板３５が、その一部分を軸４３により軸止されて、傾斜面１９と雨避け板３３との間に立っている。案内板３５の下端の縁は、後述する可動板３８の下端の縁をなし、中央線２５上に位置している。案内板３５の下端の縁と傾斜面１９との間にはわずかな隙間が形成されている。案内板３５の上端の縁は、後述する非可動板３９の上端の縁をなし、雨避け板３３の裏側に接触して固定されている。案内板３５は軸４３と平行である。
【００３２】
図５に示すように、軸４３の上端の高さにおいて、案内板３５は、可動板３８と非可動板３９とに分割されている。可動板３８の両面と非可動板３９の両面がそれぞれ案内面をなしている。可動板３８は軸４３の上端よりも下方に位置し、軸４３により回動可能に軸止されている。非可動板３９は軸４３の上端よりも上方に位置し、前述したように雨避け板３３の裏側に固定されている。換気口装着物１を正面から見ると、非可動板３９は雨避け板３３の背後に隠れて見えない。
【００３３】
可動板３８の最大の横幅は、軸４３から枠１０までの最短距離よりもわずかに短く、軸４３周りを回動する可動板３８と枠１０とは、互いに干渉しない構成となっている。
軸４３は下端側部分に可動板回動抑止手段４６を有している。図８及び図９に示すように、可動板回動抑止手段４６は接触体４８を有し、接触体４８が軸４３の表面に接触している。接触体４８は基台１７に支持されている。前述した軸４３の両端の軸受けは、軸４３の可動板回動抑止手段４６の一部をなしている。
【００３４】
可動板３８が軸４３周りを回動しようとすると、接触体４８と軸４３との間に発生する摩擦力が、可動板３８の回動を妨げる抵抗力として可動板回動抑止手段４６から可動板３８に働く構成となっている。即ち、可動板３８を回動させようとする力の大きさが、接触体４８と軸４３との間の最大静止摩擦力を上回る大きさであれば、可動板３８が軸４３周りを回動する構成となっている。なお、前述した軸４３の両端の軸受けが軸４３の回転に力を及ぼす場合には、この軸受けからの力も可動板３８の回動を妨げる抵抗力となる。
【００３５】
軸４３の可動板回動抑止手段４６から可動板３８に働く抵抗力の大きさは、接触体４８の静止摩擦係数を変えることにより調整可能に構成されている。また、締め付け具５０が接触体４８の周囲を取り巻き、接触体４８を周囲から締め付けている。締め付け具５０が接触体４８を締め付ける力を調整することにより、可動板３８の回動に必要な力の大きさを調整可能に構成されている。
【００３６】
図１から図３及び図６に示すように、軸４４が各稜線３１の前端部分（即ち、枠１０と反対側の端部分）の上にそれぞれ立っている。軸４４の軸方向は軸４３の軸方向と平行である。軸４４の上端は、雨避け板３３の裏側に達している。軸４４の上下両端は軸受け（図示せず）により支承されており、これらの軸受けが軸４４の回転に及ぼす力はほとんどゼロであり、無視し得る大きさである。
【００３７】
案内板３６が、その一部分を軸４４により軸止されて、基台１７と雨避け板３３との間に立っている。案内板３６の下端の縁は、後述する可動板４０の下端の縁をなし、稜線３１上に位置している。案内板３６の下端の縁と稜線３１との間にはわずかな隙間が形成されている。案内板３６の上端の縁は、後述する非可動板４１の上端の縁をなし、雨避け板３３の裏側に接触して固定されている。案内板３６は軸４４と平行である。
【００３８】
図１、図２及び図６に示すように、軸４４の上端の高さにおいて、案内板３６は、可動板４０と非可動板４１とに分割されている。可動板４０の両面と非可動板４１の両面がそれぞれ案内面をなしている。可動板４０は軸４４の上端よりも下方に位置し、軸４４により回動可能に軸止されている。非可動板４１は軸４４の上端よりも上方に位置し、前述したように雨避け板３３の裏側に固定されている。換気口装着物１を正面から見ると、非可動板４１は雨避け板３３の背後に隠れて見えない。
【００３９】
可動板４０の最大の横幅は、軸４４から枠１０までの最短距離よりもわずかに短く、軸４４周りを回動する可動板４０と枠１０とは、互いに干渉しない構成となっている。なお、可動板４０が稜線３１上に位置している場合、可動板４０と枠１０との間には、外気がスムーズに通り抜けることができるだけの隙間があいている。
軸４４は下端側部分に可動板回動抑止手段４６を有している。軸４４が有する可動板回動抑止手段４６は、軸４３が有する可動板回動抑止手段４６と同様の構成を有する。即ち、図８及び図９に示すように、可動板回動抑止手段４６は、軸４４の表面に接触している接触体４８を有し、接触体４８は基台１７に支持されている。前述した軸４４の両端の軸受けは、軸４４の可動板回動抑止手段４６の一部をなしている。
【００４０】
可動板４０が軸４４周りを回動しようとすると、接触体４８と軸４４との間に発生する摩擦力が、可動板４０の回動を妨げる抵抗力として可動板４０に働き、可動板４０を回動させようとする力の大きさが、接触体４８と軸４４との間の最大静止摩擦力を上回る大きさであれば、可動板４０が軸４４周りを回動する構成となっている。なお、前述した軸４４の両端の軸受けが軸４４の回転に力を及ぼす場合には、この軸受けからの力も可動板４０の回動を妨げる抵抗力となる。
【００４１】
軸４４の可動板回動抑止手段４６から可動板４０に働く抵抗力の大きさは、接触体４８の静止摩擦係数を変えることにより調整可能に構成されている。また、締め付け具５０が接触体４８の周囲を取り巻いており、締め付け具５０が接触体４８を締め付ける力を調整することにより、可動板４０の回動に必要な力の大きさを調整可能に構成されている。
図１０に示すように、建物７０の床下基礎部７２に換気口７４が形成されている。換気口７４は従来あるものと同様の構成を有し、換気口７４から外気を床下７３に取り込んで床下７３の換気を行う構成となっている。換気口７４は建物７０の外壁７１上に開口し、換気口７４の開口部分の形状は、通気口１５の形状に対応している。
【００４２】
換気口装着物１が建物７０の外壁７１側から換気口７４に装着されている。換気口装着物１の通気口１５が換気口７４の上に重なっており、通気口１５が換気口７４に連通し、外気が通気口１５を通り抜けて換気口７４に流れる構成となっている。換気口装着物１の各ボルト穴６０の挿通されたボルト６１が、換気口装着物１を建物７０の外壁７１に固定している。
【００４３】
次に、作用について説明する。
建物７０の外側を外気が流れている。図１０に示すように、外気の流れはその流れる方向により大きく３つに大別される。ひとつが、外壁７１に対して垂直に流れてくる外気の流れであり、もうひとつが、外壁７１に対して斜めの方向から流れてくる外気の流れであり、残るひとつが、外壁７１に対して平行に流れてくる外気の流れである。
【００４４】
まず、外気が外壁７１に対して垂直に流れる場合を説明する（図１０及び図１１を参照）。
外壁７１に対して垂直に流れる外気の流れの一部は、通気口１５に直接吹き付けられ、通気口１５に直接入り、通気口１５を通って換気口７４から床下７３に流れ込む。
中央線２５の上に位置する案内板３５の面は、外気の流れの方向と平行である。案内板３５を軸止する軸４３が、通気口１５に直接入る外気の流れに直接当たる。通気口１５に直接入る外気の流れは、案内板３５の面上をほとんど素通りするだけである。案内板３５は、通気口１５に直接入る外気の流れをほとんど妨げず、通気口１５に直接入る外気の流れが、案内板３５の可動板３８に及ぼす力は非常に小さい。従って、通気口１５に直接入る外気の流れが可動板３８を回動させようとする力は非常に小さい。即ち、通気口１５に直接入る外気の流れから可動板３８に働く力の大きさは、軸４３の可動板回動抑止手段４６から可動板３８に働く抵抗力の大きさを上回らず、通気口１５に直接入る外気の流れにより、可動板３８が回動することはない。
【００４５】
通気口１５の周囲に吹き付けられる外気の流れの一部は、傾斜面１９（即ち、傾斜面２０、２１）や案内板３６に直接当たる。傾斜面２０、２１に直接当たった外気の流れは、傾斜面２０、２１に案内されて通気口１５に達し、通気口１５から換気口７４に流れる。また、傾斜面２０、２１に当たった外気の流れの一部は、さらに案内板３５、３６に当たり、案内板３５、３６に力を与える。
【００４６】
外気が外壁７１に対して垂直に流れる場合、左右対称な形状を有する傾斜面２０、２１に当たる外気の量は、それぞれほぼ同じである。このため、傾斜面２０に当たった外気の流れが案内板３５の一方の面に与える力は、傾斜面２１に当たった外気の流れが案内板３５の他方の面に与える力にほぼ等しく、案内板３５においてこれらの力は互いに釣り合って相殺する。従って、案内板３５の可動板３８は、傾斜面２０、２１に当たる外気の流れから働く力により回動しない。そして、傾斜面２０、２１に当たってから案内板３５に当たった外気の流れは、案内板３５に案内され、通気口１５に入り、通気口１５から換気口７４に流れる。
【００４７】
案内板３６に当たった外気の流れは案内板３６を押し、案内板３６の可動板４０に外気の流れからの力が働く。外気の流れから働く力により可動板４０が軸４４周りを回動しようとする。可動板４０が軸４４周りを回動しようとすると、この回動を妨げる抵抗力が軸４４の可動板回動抑止手段４６から可動板４０に働く。外気の流れが弱く、可動板４０に外気の流れから働く力の大きさが、軸４４の可動板回動抑止手段４６から可動板４０に働く抵抗力を上回らなければ、可動板４０は回動しない。そして、案内板３６に当たった外気の流れは、そのまま案内板３６に案内され、通気口１５に入り、通気口１５から換気口７４に流れる。
【００４８】
外気の流れが強く、可動板４０に外気の流れから働く力の大きさが、軸４４の可動板回動抑止手段４６から可動板４０に働く抵抗力（即ち、軸４４の接触体４８と軸４４との間の最大静止摩擦力）を上回ると、可動板４０が回動する。可動板４０が回動する方向は、可動板４０に外気の流れから働く力の大きさが小さくなる方向である。そして、可動板４０に外気の流れから働く力の大きさが、軸４４の接触体４８と軸４４との間に働く動摩擦力より小さくなると、可動板４０の回動が止まる。軸４４の接触体４８の動摩擦係数が無視し得るほど小さな場合には、可動板４０の面が外気の流れの方向と平行になって、可動板４０の回動が止まる（図１１を参照）。可動板４０が回動して、外気から可動板４０に働く力も小さくなる。従って、強い外気の流れにより、可動板４０が損傷することが防止される共に、床下７３への過剰な量の外気の流れ込みが抑制される。また、強い外気の流れと一緒に床下７３へ入ってしまう雨水の量も抑制される。
【００４９】
換気口装着物１を正面から見ると、非可動板４１は雨避け板３３の背後に隠れている。このため、強い外気の流れにより可動板４０が回動する場合であっても、非可動板４１に強い外気の流れが直接当たりにくくなっており、非可動板４１に過大な力が働くこともない。従って、非可動板４１が過大な力を受けて損傷することはなく、過剰な量の外気が非可動板４１に案内されて床下７３へ流れ込むことが抑制される。また、強い外気の流れと一緒に床下７３へ入ってしまう雨水の量が抑制される。
【００５０】
次に、外気が外壁７１に対し斜めの方向から流れてくる場合を説明する（図１０及び図１２を参照）。
外壁７１に対し斜めの方向から流れてくる外気の流れの一部は、通気口１５に直接吹き付けられ、通気口１５にそのまま直接入り、通気口１５を通って換気口７４から床下７３に流れ込む。
外壁７１に対し斜めの方向から流れてくる外気の流れの他の一部は、傾斜面１９、２７、案内板３５、３６に当たる。
傾斜面１９に当たった外気の流れの一部は、傾斜面１９に案内されてそのまま通気口１５から換気口７４に流れる。傾斜面１９に当たった外気の流れの他の一部は、さらに案内板３５、３６に当たる。
【００５１】
傾斜面２７に当たった外気の流れの一部は、傾斜面２７に案内されてそのまま通気口１５から換気口７４に流れる。傾斜面２７に当たった外気の流れの他の一部は、さらに案内板３５、３６に当たる。
案内板３５に当たる外気の流れは案内板３５を押し、可動板３８に外気の流れからの力が働く。外気の流れから働く力により可動板３８が軸４３周りを回動しようとする。可動板３８が軸４３周りを回動しようとすると、この回動を妨げる抵抗力が軸４３の可動板回動抑止手段４６から可動板３８に働く。案内板３５に当たる外気の流れが弱く、可動板３８に外気の流れから働く力の大きさが、軸４３の可動板回動抑止手段４６から可動板３８に働く抵抗力を上回らなければ、可動板３８は回動しない。そして、案内板３５に当たった外気の流れは、案内板３５に案内されてそのまま通気口１５から換気口７４に流れる。
【００５２】
案内板３５に当たる外気の流れが強く、可動板３８に外気の流れから働く力の大きさが、軸４３の可動板回動抑止手段４６から可動板３８に働く抵抗力（即ち、軸４３の接触体４８と軸４３との間の最大静止摩擦力）を上回ると、可動板３８が回動する。そして、可動板３８に働く外気の流れの力が小さくなり、可動板３８が損傷することが防止される。軸４３の接触体４８の動摩擦係数が無視し得るほど小さな場合には、可動板３８の面が外気の流れの方向と平行になって、可動板３８の回動が止まる（図１２を参照）。
【００５３】
案内板３６に当たる外気の流れは案内板３６を押し、可動板４０に外気の流れからの力が働き、この力により可動板４０が軸４４周りを回動しようとする。可動板４０が軸４４周りを回動しようとすると、この回動を妨げる抵抗力が軸４４の可動板回動抑止手段４６から可動板４０に働く。案内板３６に当たる外気の流れが弱く、可動板４０に外気の流れから働く力の大きさが、軸４４の可動板回動抑止手段４６から可動板４０に働く抵抗力を上回らなければ、可動板４０は回動しない。そして、案内板３６に当たった外気の流れは、案内板３６に案内されてそのまま通気口１５から換気口７４に流れる。
【００５４】
案内板３６に当たる外気の流れが強く、可動板４０に外気の流れから働く力の大きさが、軸４４の可動板回動抑止手段４６から可動板４０に働く抵抗力を上回ると、可動板４０が回動し、可動板４０に働く外気の流れの力が逃がされる。従って、強い外気の流れにより、可動板４０が損傷することが防止される。軸４４の接触体４８の動摩擦係数が無視し得るほど小さな場合には、可動板４０の面が外気の流れの方向と平行になって、可動板４０の回動が止まる（図１２を参照）。
【００５５】
次に、外気が外壁７１に対して平行に流れる場合を説明する（図１３を参照）。
外壁７１に対して平行に流れる外気は、換気口装着物１の側方から傾斜面２７、案内板３５、３６に当たる。
傾斜面２７に当たった外気の流れの一部は、傾斜面２７に案内されてそのまま通気口１５から換気口７４に流れる。傾斜面２７に当たった外気の流れの他の一部は、さらに案内板３５、３６に当たる。
【００５６】
案内板３５に当たる外気の流れは案内板３５を押し、可動板３８に外気の流れからの力が働き、この力により可動板３８が軸４３周りを回動しようとする。可動板３８が軸４３周りを回動しようとすると、この回動を妨げる抵抗力が軸４３の可動板回動抑止手段４６から可動板３８に働く。案内板３５に当たる外気の流れが弱く、可動板３８に外気の流れから働く力の大きさが、軸４３の可動板回動抑止手段４６から可動板３８に働く抵抗力を上回らなければ、可動板３８は回動しない。そして、案内板３５に当たった外気の流れは、案内板３５に案内されてそのまま通気口１５から換気口７４に流れる。
【００５７】
案内板３５に当たる外気の流れが強く、可動板３８に外気の流れから働く力の大きさが、軸４３の可動板回動抑止手段４６から可動板３８に働く抵抗力を上回ると、可動板３８が回動し、可動板３８に外気の流れから働く力が逃がされる。従って、強い外気の流れにより、可動板３８が損傷することが防止される。軸４３の接触体４８の動摩擦係数が無視し得るほど小さな場合には、可動板３８の面が外気の流れの方向と平行になって、可動板３８の回動が止まる（図１３を参照）。
【００５８】
案内板３６に当たる外気の流れは案内板３６を押し、可動板４０に外気の流れからの力が働き、この力により可動板４０が軸４４周りを回動しようとする。可動板４０が軸４４周りを回動しようとすると、この回動を妨げる抵抗力が軸４４の可動板回動抑止手段４６から可動板４０に働く。案内板３６に当たる外気の流れが弱く、可動板４０に外気の流れから働く力の大きさが、軸４４の可動板回動抑止手段４６から可動板４０に働く抵抗力を上回らなければ、可動板４０は回動しない。そして、案内板３６に当たった外気の流れは、案内板３６に案内されてそのまま通気口１５から換気口７４に流れる。
【００５９】
案内板３６に当たる外気の流れが強く、可動板４０に外気の流れから働く力の大きさが、軸４４の可動板回動抑止手段４６から可動板４０に働く抵抗力を上回ると、可動板４０が回動し、可動板４０に外気から働く力が逃がされる。従って、強い外気の流れにより、可動板４０が損傷することが防止される。軸４４の接触体４８の動摩擦係数が無視し得るほど小さな場合には、可動板４０の面が外気の流れの方向と平行になって、可動板４０の回動が止まる（図１３を参照）。
【００６０】
以上説明したように、外気がいずれの方向から流れてくる場合であっても、この外気を通気口１５に積極的に取り入れて換気口７４に流すことができる。即ち、外気が外壁７１の近傍を流れさえすれば、換気口７４から床下７３に外気が流れ込み、床下７３の換気がなされる。
雨露は雨避け板３３に当たり、通気口１５までは入らない。従って、雨露が通気口１５から換気口７４に入ることがなく、床下７３が雨露により湿ってしまうことが防止される。
【００６１】
雨避け板３３の裏側面は、この裏側面に当たった外気の流れの少なくとも一部を通気口１５へ案内する。従って、雨避け板３３は案内板をなしており、雨避け板３３の裏側面は案内面をなしている。また、基台１７の傾斜面１９、２７は案内面をなしているので、基台１７は案内板をなしている。
換気口装着物１は、モータ等を有しておらず、簡単な構造である。従って、製造コストが安く、換気口装着物１の設置費用も安い。また、換気口装着物１のメンテナンスも簡単である。
【００６２】
本実施の形態においては、換気口装着物１が２枚の案内板３６を有しているが、案内板３６の数を増やすことができる。案内板３６の数を増やせば、案内板３６に当たって通気口１５へ案内される外気の量が増え、床下７３の換気効率が向上する。
案内板３５、３６の面を湾曲した凹面とすれば、案内板３５、３６に外気の流れから働く力を分散させることができる。また、案内板３５、３６が案内する外気の流れの乱れを小さく抑制できる。
【００６３】
換気口装着物１が有する案内面の総面積を広くすれば、案内面により通気口１５へ案内される外気の量が増え、床下７３の換気効率がより向上する。また、可動板３８、４０を設置することにより、強風時に、過大な量の外気が床下７３に流れ込むことが抑制され、多量の雨を伴う強風時に、外気の流れと一緒に床下７３に入ってしまう雨水の量が抑制される。
本実施の形態においては、傾斜面１９、２７が平坦な面であるが、傾斜面１９、２７が湾曲した凹面であっても良い。傾斜面１９、２７を凹面とすることにより、傾斜面１９、２７に外気の流れから働く力を分散させることができる。また、傾斜面１９、２７が案内する外気の流れの乱れを小さく抑制できる。
【００６４】
さらに、本実施の形態における可動板回動抑止手段４６の抵抗力が磁石等の磁力により発生する構成であっても良い。例えば、基台１７側に磁石を設置し、軸４３又は軸４４あるいは可動板３８又は可動板４０の少なくとも一部を鉄部材により形成し、これらの磁石と鉄部材との間に働く磁力を可動板回動抑止手段４６の抵抗力とすることができる。また、基台１７側の一部を鉄部材により形成し、軸４３又は軸４４あるいは可動板３８又は可動板４０に磁石を設置し、これらの磁石と鉄部材との間に働く磁力を可動板回動抑止手段４６の抵抗力としても良い。
【００６５】
次に、本発明を実施するために最良の第２の実施の形態について説明する。第２の実施の形態における換気口装着物１は、可動板回動抑止手段４６の構成を除いて、第１の実施の形態における換気口装着物１と同様の構成を有する。第１の実施の形態と同じ構成のものには同じ符号を付することとし、重複する説明を省略する。
図１４に示すように、第２の実施の形態における可動板回動抑止手段４６は、コイルバネ５２を有する。
【００６６】
軸４３又は軸４４がコイルバネ５２のコイル部分を貫通し、コイルバネ５２の一方の端部分５３Ａが可動板３８又は可動板４０に固定され、コイルバネ５２の他方の端部分５３Ｂが基台１７に固定されている。
可動板３８又は可動板４０が軸４３周り又は軸４４周りを回動しようとすると、コイルバネ５２が変形し、変形したコイルバネ５２の弾性力が、この回動を妨げる抵抗力として可動板３８又は可動板４０に働く構成となっている。
可動板回動抑止手段４６は、同時に可動板回帰手段をもなしており、コイルバネ５２から回動した可動板３８又は可動板４０に働く弾性力が、可動板３８又は可動板４０を回動前の位置に回帰させる力となる。
【００６７】
可動板３８又は可動板４０が回動した後、外気の流れから可動板３８又は可動板４０に働く力の大きさが、可動板回動抑止手段４６から可動板３８又は可動板４０に働く力よりも小さくなると、コイルバネ５２の弾性力が、可動板３８又は可動板４０を回動前の位置に引き戻す力となる。そして、可動板３８は回動前の位置（即ち、中央線２５上の位置）に引き戻され、可動板４０は回動前の位置（即ち、陵線３１上の位置）に引き戻される。
【００６８】
可動板回動抑止手段４６から可動板３８又は可動板４０に働く力の大きさは、コイルバネ５２の弾性係数を変えることで調整可能である。
なお、第２の実施の形態において、可動板回動抑止手段４６が有するコイルバネ５２の本数は特に限定されない。１本のコイルバネ５２が、可動板３８又は可動板４０の一方の面に弾性力を加え、もう１本のコイルバネ５２が、可動板３８又は可動板４０の他方の面に弾性力を加える構成とすることも可能である。
【００６９】
次に、本発明を実施するために最良の第３の実施の形態について説明する。第３の実施の形態における換気口装着物１は、可動板回動抑止手段４６の構成を除いて、第１の実施の形態における換気口装着物１と同様の構成を有する。第１の実施の形態と同じ構成のものには同じ符号を付することとし、重複する説明を省略する。
図１５及び図１６に示すように、第３の実施の形態における可動板回動抑止手段４６は、基台１７に立設された支柱５６と、支柱５６に一端を固定された２枚の板バネ５４を有する。１枚の板バネ５４が可動板３８又は可動板４０の一方の面に当接し、もう１枚の板バネ５４が可動板３８又は可動板４０の他方の面に当接している。可動板３８又は可動板４０が回動しようとすると、回動しようとする側の板バネ５４が撓み、撓んだ板バネ５４の弾性力が、可動板３８又は可動板４０の回動を妨げる抵抗力となる。抵抗力の大きさは板バネ５４の弾性係数を変えることにより調整できる。
【００７０】
可動板回動抑止手段４６は、同時に可動板回帰手段をもなしており、板バネ５４から回動した可動板３８又は可動板４０に働く弾性力が、可動板３８又は可動板４０を回動前の位置に回帰させる力となる。
可動板３８又は可動板４０が回動した後、外気の流れから可動板３８又は可動板４０に働く力の大きさが、可動板回動抑止手段４６から可動板３８又は可動板４０に働く力よりも小さくなると、板バネ５４の弾性力が、可動板３８又は可動板４０を回動前の位置に引き戻す力となる。そして、可動板３８は回動前の位置（即ち、中央線２５上の位置）に引き戻され、可動板４０は回動前の位置（即ち、陵線３１上の位置）に引き戻される。
【００７１】
なお、第３の実施の形態において、２枚の板バネ５４の一部が可動板３８又は可動板４０の面にそれぞれ固定されている構成とすることも可能である。かかる構成の場合、可動板３８又は可動板４０が回動しようとすると、可動板３８又は可動板４０の両側にある２枚の板バネ５４の弾性力が、可動板３８又は可動板４０の回動を妨げる抵抗力となる。
【００７２】
次に、本発明を実施するために最良の第４の実施の形態について、図１７から図２０を参照しつつ説明する。第４の実施の形態における換気口装着物１は、基本的に第１の実施の形態における換気口装着物１と同じ構成を有する。第１の実施の形態と同じ構成のものには同じ符号を付することとし、重複する説明を省略する。
図１７から図２０に示すように、通気口１５に複数本の水平な軸８０が設置されている。各軸８０によって、複数枚の横長の長方形の扉板８２が回動可能にそれぞれ軸止されている。各扉板８２は一方の長辺を軸８０にそれぞれ固定されている。通気口１５において、各軸８０は上下に等間隔で並び、一番下側にある軸８０は、通気口１５の下側の縁１６の直上に位置する。各軸８０の両端は、軸受け（図示せず）を介して左右の枠部材１３により支承されている。これらの軸受けが軸８０の回転に及ぼす力はほとんどゼロであり、無視し得る大きさである。
【００７３】
各扉板８２の長辺方向の長さは通気口１５の左右の横幅よりもわずかに大きく、扉板８２の短辺方向の長さは、隣り合う軸８０同士の上下の間隔よりもわずかに大きい。軸８０周りを回動する扉板８２により、通気口１５が開閉する構成となっている。
各軸８０の端部には扉板回動抑止手段８４が形成されている。扉板回動抑止手段８４の構成は、基本的に第２の実施の形態における可動板回動抑止手段４６の構成と同様である。
【００７４】
扉板回動抑止手段８４はコイルバネ８６を有する。軸８０がコイルバネ８６のコイル部分を貫通し、コイルバネ８６の一方の端部分８７Ａが扉板８２に固定され、コイルバネ８６の他方の端部分８７Ｂが枠部材１３に固定されている。
扉板８２が軸８０周りを回動しようとすると、コイルバネ８６が変形し、変形したコイルバネ８６の弾性力が、回動を妨げる抵抗力として扉板８２に働く構成となっている。即ち、扉板８２を回動させようとする力の大きさが、扉板回動抑止手段８４から扉板８２に働く抵抗力を上回る大きさであれば、扉板８２が軸８０周りを回動し、通気口１５が塞がれる構成となっている。扉板回動抑止手段８４から扉板８２に働く力の大きさは、コイルバネ８６の弾性係数を変えることで調整可能に構成されている。
【００７５】
扉板回動抑止手段８４は、同時に扉板回帰手段をもなしており、変形したコイルバネ８６から回動した扉板８２に働く弾性力が、扉板８２を回動前の位置に回帰させる力となる。なお、扉板８２は、回動前の状態において、その面が水平となっており、通気口１５が開いた状態となっている。
案内板３５は、可動板３８と非可動板３９とを有し、案内板３６は、可動板４０と非可動板４１とを有する。可動板３８は回動可能に軸４３により軸止され、可動板４０は回動可能に軸４４により軸止されている。
【００７６】
軸４３から枠１０までの最短距離は、可動板３８の最大横幅に扉板８２の短辺方向の長さを加えた大きさよりも、やや大きい。従って、軸４３周りを回動する可動板３８と、軸８０周りを回動する扉板８２とは、互いに干渉しない構成となっている。また、可動板４０の最大横幅は、軸４４周りを回動する可動板４０と、軸８０周りを回動する扉板８２とが、互いに干渉しない大きさとなっている。すなわち、軸４３周りを回動する可動板３８の通過領域は、軸８０周りを回動する扉板８２の通過領域に重なっていない。また、軸４４周りを回動する可動板４０の通過領域は、軸８０周りを回動する扉板８２の通過領域に重なっていない。
他の構成は、第１の実施の形態と同じ構成である。
【００７７】
次に、作用について説明する。
まず、外気が換気口装着物１の周辺に向かって流れてくると、外気の流れの一部が扉板８２に直接当たる。また、外気の流れの他の一部は、案内板３５、３６、傾斜面２１、２７のいずれかに当たってから、さらに、扉板８２に当たる。扉板８２に当たった外気の流れは、扉板８２の面に案内され、通気口１５に入り、換気口７４を通って床下７３に流れ込む。
【００７８】
扉板８２は、扉板８２に当たる外気の流れから力を受ける。
外気の流れから扉板８２に働く力の大きさが、扉板回動抑止手段８４から扉板８２に働く抵抗力よりも大きくなると、扉板８２が回動し、回動した扉板８２が通気口１５を塞ぐ。従って、強風時には、強風の力により扉板８２が回動し、通気口１５が塞がれ、過大な量の外気が床下７３に流れ込むことが防止される。また、多量の雨を伴う強風時には、扉板８２が通気口１５を塞ぐことによって、外気の流れと一緒に雨水が床下７３に入ってしまうことが防止される。
【００７９】
扉板８２が回動した後、外気の流れから扉板８２に働く力の大きさが、扉板回動抑止手段８４から扉板８２に働く力よりも小さくなると、コイルバネ８６の弾性力が、扉板８２を回動前の位置に回帰させる力として働く。そして、扉板８２は回動前の位置（即ち、扉板８２の面が水平となる位置）に回帰し、通気口１５が開く。
換気口装着物１が奏する他の作用は、第１の実施の形態における作用と同じであり、重複する説明を省略する。
【００８０】
なお、第４の実施の形態における扉板回動抑止手段８４の構成は、基本的に第２の実施の形態における可動板回動抑止手段４６の構成と同様であるが、第３の実施の形態における可動板回動抑止手段４６の構成と同様の構成であっても良い。すなわち、撓んだ板バネの弾性力を、扉板８２の回動を妨げる抵抗力とし、撓んだ板バネが撓む前の形状に戻ろうとする力を、扉板８２を回動前の位置に回帰させる力とすることができる。
【図面の簡単な説明】
【００８１】
【図１】第１の実施の形態に係る換気口装着物の正面図である。
【図２】第１の実施の形態に係る換気口装着物の側面図である。
【図３】第１の実施の形態に係る換気口装着物の上面図である。
【図４】第１の実施の形態に係る換気口装着物の背面図である。
【図５】図３のＶ−Ｖ線断面である。
【図６】図３のＶＩ−ＶＩ線断面である。
【図７】基台の斜視図である。
【図８】可動板回動抑止手段の構造図である。
【図９】図８のＩＸ−ＩＸ線断面である。
【図１０】建物の換気口に装着した換気口装着物と外気の流れの説明図である。
【図１１】外壁に対し垂直に流れてくる外気の流れにより回動する案内板の可動板の動きの説明図である。
【図１２】外壁に対し斜めの方向から流れてくる外気の流れにより回動する案内板の可動板の動きの説明図である。
【図１３】外壁に対し平行に流れてくる外気の流れにより回動する案内板の可動板の動きの説明図である。
【図１４】第２の実施の形態における可動板回動抑止手段の構造図である。
【図１５】第３の実施の形態における可動板回動抑止手段の構造図である。
【図１６】図１５のＸＩＶ−ＸＩＶ線断面である。
【図１７】第４の実施の形態に係る換気口装着物の正面図である。
【図１８】第４の実施の形態に係る換気口装着物の側面図である。
【図１９】第４の実施の形態における通気口近傍の枠の斜視図である。
【図２０】第４の実施の形態における扉板回動抑止手段の構造図である。
【符号の説明】
【００８２】
１    換気口装着物
１０    枠
１１、１２、１３    枠部材
１５    通気口
１６    縁
１７    基台
１９、２０、２１、２７    傾斜面
２３    縁
２５    中央線
２９    縁
３１    稜線
３３    雨避け板
３５、３６    案内板
３８、４０    可動板
３９、４１    非可動板
４３、４４    軸
４６    可動板回動抑止手段
４８    接触体
５０    締め付け具
５２、８６    コイルバネ
５３Ａ、５３Ｂ、８７Ａ、８７Ｂ    コイルバネの端部分
５４    板バネ
５６    支柱
６０    ボルト穴
６１    ボルト
７０    建物
７１    外壁
７２    床下基礎部
７３    床下
７４    換気口
８０    軸
８２    扉板
８４    扉板回動抑止手段
【要約】
【課題】  換気口からの換気を効率よく行うことができ、安価に製造可能であり、換気口に容易に装着可能であり、管理・維持に要する手間も小さくてすむ換気口装着物の提供。
【解決手段】  建物の換気口に装着する換気口装着物１を、建物の外側から換気口に流れる外気が通りぬける通気口１５と、通気口１５の上方に形成された雨避け板３３と、外気を通気口１５へ案内する案内板３５、３６と、により構成する。
【選択図】  図１【図１】
0004255508.tif 000002
【図２】
0004255508.tif 000003
【図３】
0004255508.tif 000004
【図４】
0004255508.tif 000005
【図５】
0004255508.tif 000006
【図６】
0004255508.tif 000007
【図７】
0004255508.tif 000008
【図８】
0004255508.tif 000009
【図９】
0004255508.tif 000010
【図１０】
0004255508.tif 000011
【図１１】
0004255508.tif 000012
【図１２】
0004255508.tif 000013
【図１３】
0004255508.tif 000014
【図１４】
0004255508.tif 000015
【図１５】
0004255508.tif 000016
【図１６】
0004255508.tif 000017
【図１７】
0004255508.tif 000018
【図１８】
0004255508.tif 000019
【図１９】
0004255508.tif 000020
【図２０】
0004255508.tif 000021